(57)【特許請求の範囲】
【請求項１】
電池室または電池ケース内のプラス極の電池接点となる円錐コイルバネ部と、
前記円錐コイルバネ部の電池側の先端部に設けられ、該円錐コイルバネの最小径よりも大きな径部を有する円弧部と、
電池の電極と接触する電池接点板と、
前記電池接点板に設けられ、前記円弧部を引掛けて固定するための複数の曲げ部とを具備し、
前記曲げ部に前記円弧部が引掛けられて固定されることを特徴とする電池の接点端子。
【請求項２】
請求項１において、
前記電池接点板の電池接触面に設けられ、中央に穴部を持つ絶縁部材を更に具備し、
前記絶縁部材は、前記穴部に電池の正極が挿入されたときだけ、電池の正極と前記電池接点板とを接触させることにより、逆装填を防止することを特徴とする電池の接点端子。
【発明の詳細な説明】
【０００１】
【発明の属する技術分野】
本発明は、カメラの電池室や電池ケースに最適な電池の接点端子に関するものである。
【０００２】
【従来の技術】
従来より、カメラの電池室や電池ケース内の電池接点には、円錐コイルバネまたは板バネが設けてある。また、電池のプラスマイナスを逆に装填したときに導通することのないように、電池の逆装填防止として、電池のプラス側の円錐コイルバネまたは板バネの接点上には、絶縁部材を設けている。スペースやバネのへたり等を考慮すると、板バネより円錐コイルバネを使用する場合が多い。この円錐コイルバネを用いた従来の電池の接点端子を図７に示す。図７は、カメラの電池室のプラス側接点を示す断面図である。
【０００３】
図７中で、導通板７２は中央部に穴７２ａを備える。導通板７２は、２本の電池を導通させる。７１は、接点バネとしての円錐コイルバネである。７３は、接点板、７４は絶縁部材である。接点板７３は、軸７６にビス７５で固定され、電池の＋極と接触する。軸７６は、穴７２ａより径の小さい小径部７６ａと、穴７２ａより径の大きい大径部７６ｂとから成る。小径部７６ａは穴７２ａに通されていて、大径部７６ｂの存在により、図７の右方向には抜くことができない。軸７６は、接点バネ７１の負荷により、接点板７３が安定するように自由長より撓む長さになっている。絶縁部材７４は、突起部７４ａで接点板７３に加締められている。
【０００４】
【発明が解決しようとする課題】
しかしながら、上記の従来技術では、部品点数が多く、また構成が複雑になる点で改善余地があった。
【０００５】
本発明は、上記の問題点に鑑みてなされたもので、組立が容易であり簡単な構成で部品数も少ない電池の接点端子を提供することを目的とする。
【０００６】
【課題を解決するための手段】
この目的を達成するために、本発明の電池の接点端子は、電池室または電池ケース内のプラス極の電池接点となる円錐コイルバネ部（２１）と、円錐コイルバネ部の電池側の先端部（２１ｂ）に設けられ、該円錐コイルバネの最小径よりも大きな径部を有する円弧部（２１ｄ）と、電池の電極と接触する電池接点板（２２）と、電池接点板に設けられ、円弧部を引掛けて固定するための複数の曲げ部（２２ａ）とを具備し、曲げ部に円弧部が引掛けられて固定されるように構成されている。
【０００７】
【発明の実施の形態】
以下、本発明の実施の形態を図面に基づいて説明する。
【０００８】
図１および図２は、本発明による電池の接点端子の一実施例を示す斜視図および断面図である。図１および図２において、２１は接点バネの円錐コイルバネ、２２は円形の接点板、２３は中央部に穴部２３ｂを持つドーナツ状の絶縁部材、２４は絶縁部２３を接点板２２に固定する為の両面テープである。
【０００９】
ここで円錐コイルバネ２１の形状について図３〜図５で説明する。
【００１０】
図３はバネの側面図である。図３において円錐コイルバネ２１は、バネの最大径部２１ａより等ピッチで巻かれ、連続して径が小さくなり、最小径部２１ｂに至る。最小径部２１ｂからは、皿状に径を大きくして延びており、円弧部２１ｄを形成している。図４は円弧部２１ｄの側面図である。円弧部２１ｄは、バネ部と中心を同じにする円弧部２１ｄおよび最小径部２１ｂと、両者をつなぐ直線部２１ｅで構成されている。図５は円弧部２１ｄの他の例を示す側面図である。円弧部２１ｄは、バネ部と中心を同じにする円弧部２１ｄおよび最小径部２１ｂと、両者をつなぐ連続してＲが変化する連絡部２１ｆで構成されている。以上のように、円錐コイルバネ２１は、１本で円錐コイルバネ部とバネ先端部より延びる皿状の径の大きい部分を構成している。
【００１１】
図１および図２において、接点板２２には、外周方向に向いた曲げ部２２ａが等間隔で３カ所設けてある。この３カ所の曲げ部２２ａは、コイルバネ２１の先端の円弧部２１ｄを固定する為のものであり、曲げ部２２ａの円周方向の位置は円弧部２１ｄの大きさとほぼ同じである。図１のように、円弧部２１ｄは曲げ部２２ａに掛けられ固定されている。円弧部２１ｄの大きさは、不図示の電池室または電池ケースのスペースによって制限されるが、大きければ大きいほど組立作業は容易になる。また接点板２２とコイルバネ２１の固定には、電池の出し入れの際に円弧部２１ｄが曲げ部２２ａより外れることのないように、曲げ部２２ａに半田付けをすると尚良い。
【００１２】
２３は、中央部に穴部２３ｂを持つドーナツ形状の絶縁部材である。絶縁部材２３の穴２３ｂは、図６（ａ）のように電池のプラス極は接点板２２に接し、マイナス極は図６（ｂ）のように接点板２２に接することのない大きさになっている。即ち、電池の逆装填防止の機能を果たしている。また、絶縁部材２３には接点板２２との位置決め及びずれ防止の為に、接点板２２と嵌合する段差２３ａ（図２）が設けてあり、両面テープ２４により絶縁部材２３が接点板２２に固定される。バネ２１の円弧部２１ｄと曲げ部２２ａを半田付けする場合は、半田付けの後に、両面テープ２４で絶縁部材２３を接点板２２に固定すれば、絶縁部材が半田の熱によって変形する問題もない。
【００１３】
以上のように、円錐コイルバネのバネ部の先端に接点板に取付けやすいように径の大きい円弧部を設け、接点板にはコイルバネの円弧部を引っかける曲げ部を設けた為、接点板は円錐コイルバネに容易に取付ける事が可能となり、また簡単な構成で部品も少ない電池の逆装填機構を提供することが出来る。
【００１４】
【発明の効果】
以上のように、本発明の電池の接点端子によれば、円錐コイルバネ部の電池側の先端部（２１ｂ）に設けられ、該円錐コイルバネの最小径よりも大きな径部を有する円弧部（２１ｄ）を、曲げ部（２２ａ）に引掛けられて固定するようにしたので、組立が容易であり、簡単な構成で部品数も少ない電池の接点端子を提供することが可能となる。
【図面の簡単な説明】
【図１】本発明による電池の接点端子の一実施例を示す斜視図である。
【図２】本発明による電池の接点端子の一実施例を示す断面図である。
【図３】本発明による電池の接点端子の一実施例を示す正面図である。
【図４】本発明による電池の接点端子の一実施例を示す側面図である。
【図５】本発明による電池の接点端子の他の実施例を示す側面図である。
【図６】本発明による電池の接点端子の一実施例を示す断面図である。
【図７】従来の電池の接点端子の一例を示す断面図である。
【符号の説明】
２１    円錐コイルバネ
２２    電池接点板
２２ａ  曲げ部２２ａ
２３    絶縁部材
２４    両面テープ
【図１】
0003656310.tif 000002
【図２】
0003656310.tif 000003
【図３】
0003656310.tif 000004
【図４】
0003656310.tif 000005
【図５】
0003656310.tif 000006
【図６】
0003656310.tif 000007
【図７】
0003656310.tif 000008